(57)【要約】【課題】梱包材の底面下方に緩衝用の空間を確保するとともに、脚部が折れ難い構造の包装箱体を提供する。【解決手段】側壁部１２Ａ，１２Ｃの内壁面に沿って箱体底面１４側に起立した、脚部としての舌片部５２ＡＢ，５２ＡＤ，５２ＣＢ，５２ＣＤを有する梱包材４０が配設される包装箱体１０において、箱体底面１４を形成する底部側外フラップ部１４Ａ，１４Ｃに折り曲げて形成される起立片としての舌片部２１Ａ，２１Ｃを設け、同じく箱体底面１４を形成する底側内フラップ部１４Ｂ，１４Ｄには、舌片部２１Ａ，２１Ｃが嵌合する切欠部２２Ｂ，２２Ｄを設ける。【選択図】  図１
2004196408.tif 000002
【特許請求の範囲】
【請求項１】
梱包材が内設される包装箱体であって、
該包装箱体の底面を形成するために重合される各一対の底側外フラップ部及び底側内フラップ部と、
該一対の底側外フラップ部それぞれに設けられた起立片と、
前記一対の底側内フラップ部それぞれに形成され、前記底側外フラップ部に設けられた前記起立片が嵌合する切欠き部と
を備えていることを特徴とする包装箱体。
【請求項２】
起立した脚部を有する梱包材が内設される包装箱体であって、
該包装箱体の内壁に沿って配置される前記梱包材の脚部の起立方向側に位置し、該包装箱体底面を形成するために重合される各一対の底側外フラップ部及び底側内フラップ部と、
該一対の底側外フラップ部それぞれの先端側に連設された起立片と、
前記一対の底側内フラップ部それぞれに先端側から基端側に向けて延設され、前記底側外フラップ部に対して折曲された前記起立片が嵌合する切欠き部と
を備えていることを特徴とする包装箱体。
【発明の詳細な説明】
【０００１】
【発明の属する技術分野】
本発明は、収容する物品を外部の衝撃等から保護するための梱包材が内設される包装箱体に関する。
【０００２】
【従来の技術】
従来の、包装箱体に内設され、収容された物品を外部の衝撃等から保護する梱包材、及びこの梱包材が内設される包装箱体の構造の一例について、図３〜図６を用いて説明する。
【０００３】
図３は、従来の、物品を収容するための包装箱体の展開図である。
包装箱体３０は、１枚の段ボール等からなる板材３１から構成される。板材３１は、各一対の長方形形状の側壁部３２Ａ，３２Ｃ及び端壁部３２Ｂ，３２Ｄが交互に連設された箱体周壁構成部３２を備えている。また、板材３１の箱体周壁構成部３２の壁部３２Ａ，３２Ｂ，３２Ｃ，３２Ｄそれぞれには、これら壁部３２Ａ，３２Ｂ，３２Ｃ，３２Ｄの連設方向に沿って延びる一対の縁部の中の一方側の縁部に、蓋側外フラップ部３３Ａ，蓋側内フラップ部３３Ｂ，蓋側外フラップ部３３Ｃ，蓋側内フラップ部３３Ｄが連設されている。また、これら壁部３２Ａ，３２Ｂ，３２Ｃ，３２Ｄそれぞれには、これら壁部３２Ａ，３２Ｂ，３２Ｃ，３２Ｄの連設方向に沿って延びる一対の縁部の中の他方側の縁部に、底側外フラップ部３４Ａ，底側内フラップ部３４Ｂ，底側外フラップ部３４Ｃ，底側内フラップ部３３Ｄが同様に連設されている。さらに、側壁部３２Ａの端壁部３２Ｂが連設された側と反対側の縁部には、合わせ壁部３２Ｅが連設されている。
【０００４】
そして、包装箱体３０は、上記した構成からなる板材３１の隣り合う、合わせ壁部３２Ｅと側壁部３２Ａ、側壁部３２Ａと端壁部３２Ｂ、端壁部３２Ｂと側壁部３２Ｃ、側壁部３２Ｃと端壁部３２Ｄそれぞれの、相互に共通する縁部（連設部）３２ｅａ，３２ａｂ，３２ｂｃ，３２ｃｄに沿って、隣り合う壁部同士を、図３の紙面表側から裏側に眺めて、略直角に山折りして構成される。その際、合わせ壁部３２Ｅの外壁面は、端壁部３２Ｄの内壁面と重ね合わされ、この重合部分はステップル等によって接合される。これにより、側壁部３２Ａと端壁部３２Ｄとは、合わせ壁部３２Ｅを介して一体的に連結される。
【０００５】
また、包装箱体３０は、底側内フラップ部３４Ｂ，３４Ｄ及び底側外フラップ部３４Ａ，３４Ｃが、箱体周壁構成部３２とのそれぞれ共通する縁部（連設部）３４ｂ，３４ｄ，３４ａ，３４ｃに沿って、底側内フラップ部３４Ｂ，３４Ｄ、続いて底側外フラップ部３４Ａ，３４Ｃの順で山折りされる。これにより、底側内フラップ部３４Ｂ，３４Ｄと底側外フラップ部３４Ａ，３４Ｃとは重ね合わされ、包装箱体３０の底部（底面）３４が構成される。
【０００６】
そして、包装箱体３０は、例えば、この折曲された底側外フラップ部３４Ａ，３４Ｃ同士が、例えばステップル等によって封緘され、一体的に連結されることによって、包装箱体３０の底部開口が封止される構成になっている。
このように構成される包装箱体３０に物品を収容するに当たっては、収容された物品を外部からの衝撃や振動等から保護し、物品が収容された包装箱体３０の封緘時に、封緘部材のステップル等によって物品が傷付くのを防止する等のために、包装箱体３０の内部には、緩衝材としての梱包材４０が、図４に示すように、配置される。
【０００７】
図４は、従来の、包装箱体に対する梱包材の組み付けの説明図である。
例えば、図４は、包装箱体３０について、蓋側内フラップ部３３Ｂ，３３Ｄ及び蓋側外フラップ部３３Ａ，３３Ｃの折曲／接合による蓋側開口の封止を残した段階で、梱包材４０が包装箱体３０の蓋側開口より内部に装着される状況を示す。その際には、梱包材４０に物品が載置されていても、載置されていなくても、いずれでもよい。
【０００８】
図５は、梱包材の一例としての、図４に示した梱包材の展開図である。
梱包材４０は、１枚の段ボール等からなる板材４１から構成される。
板材４１は、両端側に底面部４２Ａ，４２Ｃが形成され、この両底面部４２Ａ，４２Ｃ間に、一方の底面部４２Ａ側から他方の底面部４２Ｃ側に向けて、一方側の側面部４３Ａ，一方側の上面部４４Ａ，一方側の物品支持部４５Ａ，載置部４６，他方側の物品支持部４５Ｃ，他方側の上面部４４Ｃ，他方側の側面部４３Ｃが、順次連設されて形成されている。
【０００９】
そして、上記のように配置された板材４１上の、一方の底面部４２Ａと側面部４３Ａとの境界部分には、両者４２Ａ，４３Ａの連設方向と直交する方向に相互に離間させて、一対のコ字状の切欠部５１ＡＢ，５１ＡＤが形成されている。
一対の切欠部５１ＡＢ，５１ＡＤそれぞれは、境界部分又はその近傍に切欠部５１ＡＢ，５１ＡＤの始端及び終端が位置し、切欠の長さ方向の中間部が底面部４２Ａ内に突出位置するように延設されている。
【００１０】
このコ字状の切欠部５１ＡＢ，５１ＡＤによって底面部４２Ａから画成され、コ字状の切欠部５１ＡＢ，５１ＡＤの内側に形成された舌片部５２ＡＢ，５２ＡＤは、基端が側面部４３Ａと接続されて一体化され、先端が底面部４２Ａ側に突出する。そして、この舌片部５２ＡＢ，５２ＡＤは、基端から先端までの長さがａで、脚高さａの脚部を構成する。
同様にして、板材４１上の、他方側の底面部４２Ｃと側面部４３Ｃとの境界部分にも、コ字状に切欠部５１ＣＢ，５１ＣＤが延設され、脚高さａの脚部を構成する舌片部５２ＣＢ，５２ＣＤが構成されている。
【００１１】
そして、底面部４２Ａと側面部４３Ａとの境界部分、及び底面部４２Ｃと側面部４３Ｃとの境界部分の中、舌片部５２ＡＢ，５２ＡＤの基端部分、舌片部５２ＣＢ，５２ＣＤの基端部分を除いたそれぞれ境界部分のみが、底面部４２Ａと側面部４３Ａとの折曲部Ａ１、底面部４２Ｃと側面部４３Ｃとの折曲部Ｃ１となり、組立の際には、図５の紙面表側から裏面側に眺めて、山折りされる。
【００１２】
また、板材４１上の、一方側の側面部４３Ａと上面部４４Ａとの境界部分の中央部には、切欠孔部５３Ａが形成されている。
同様にして、板材４１上の、他方側の側面部４３Ｃと上面部４４Ｃとの境界部分の中央部にも、切欠孔部５３Ｃが形成されている。
この切欠孔部５３Ａ，５３Ｃは、側面部４３Ａと上面部４４Ａ，側面部４３Ｃと上面部４４Ｃとのそれぞれ境界部分から、側面部４３Ａ，４３Ｃ側にそれぞれ延び、梱包材４０の把持部を構成する。
【００１３】
そして、側面部４３Ａと上面部４４Ａとの境界部分，及び側面部４３Ｃと上面部４４Ｃとの境界部分の中、切欠孔部５３Ａ，５３Ｃを除いたそれぞれ境界部分が、側面部４３Ａと上面部４４Ａとの折曲部Ａ２，側面部４３Ｃと上面部４４Ｃとの折曲部Ｃ２となり、組立の際には、図５の紙面表側から裏面側に眺めて、山折りされる。
その際、切欠孔部５３Ａ，５３Ｃそれぞれの両側の境界部分には、折曲げを容易にするための切欠孔５４ＡＢ，５４ＡＤ、切欠孔５４ＣＢ，５４ＣＤが形成されている。
【００１４】
また、板材４１上の、一方側の上面部４４Ａと物品支持部４５Ａとの折曲部Ａ３、一方側の物品支持部４５Ａと載置部４６との折曲部Ａ４、載置部４６と他方側の物品支持部４５Ｃとの折曲部Ｃ４、及び他方側の物品支持部４５Ｃと他方側の上面部４４Ａとの折曲部Ｃ３それぞれは、本例の場合は、それぞれの連設方向と直交する方向に延び相互に平行な複数の直線からなる複数の折曲部構成部Ａ３１〜Ａ３４，Ａ４１〜Ａ４４，Ｃ４１〜Ｃ４５，Ｃ３１〜Ｃ３５それぞれが、連設方向に位置をずらせて、連設方向と直交する方向に並設されて構成されている。
【００１５】
すなわち、載置部４６の平面形状として表れる、収容される物品の載置方向の投影形状（この投影形状は、物品支持部４５Ａ及び物品支持部４５Ｃによってそれぞれ支持される物品表面の凹凸形状を表す）の関係から、折曲部Ａ３，Ａ４，Ｃ４，Ｃ３は、上記のような境界部分の形状になっている。この結果、一方側の上面部４４Ａと物品支持部４５Ａとの折曲部Ａ３の形状は、一方側の物品支持部４５Ａと載置部４６との折曲部Ａ４の形状と、同一形状となっている。また、同様に、載置部４６と他方側の物品支持部４５Ｃとの折曲部Ｃ４の形状は、他方側の物品支持部４５Ｃと上面部４４Ｃとの折曲部Ｃ３の形状と、同一形状となっている。
【００１６】
各物品支持部４５Ａ，４５Ｃは、連設方向に沿って延びる長穴上の切欠部５６Ａ１〜５６Ａ３，５６Ｃ１〜５６Ｃ４によって、連設方向と直交する方向に並んだ複数の物品支持構成部４５Ａ１〜４５Ａ４，４５Ｃ１〜４５Ｃ５にそれぞれ分割されている。これにより、物品支持部４５Ａ，４５Ｃは、物品の載置方向の投影形状に対応させて、上面部４４Ａ，４４Ｃ及び載置部４６に対して折曲可能になっている。
【００１７】
そして、図５の紙面表側から裏面側に眺めて、上面部４４Ａと物品支持部４５Ａとの折曲部Ａ３、及び物品支持部４５Ｃと上面部４４Ａとの折曲部Ｃ３は、それぞれ山折りされ、物品支持部４５Ａと載置部４６との折曲部Ａ４、及び載置部４６と物品支持部４５Ｃとの折曲部Ｃ４は、それぞれ谷折りされる。これにより、梱包部材４０には、物品支持部４５Ａ，載置部４６，及び物品支持部４５Ｃで囲まれた物品収納空間が形成される。
また、一方の底面部４２Ｃの上面部４４Ｃが連設された側と反対側の縁部には、相互に離間させて、凹部５７ＣＢ，５７ＣＤが形成されている。
【００１８】
このように構成された板材４１は、各折曲部Ａ１〜Ａ４，Ｃ１〜Ｃ４で上述したように折曲され、図５中に、斜線ハッチングを施した底面部４２Ａ，４２Ｃを、それぞれ載置部４６の裏面に重ね合わせ、底面部４２Ａ，４２Ｃ及び載置部４６を相互に貼り合わせることによって、図４に示したような梱包材４０が組み立てられる。
【００１９】
この場合、折曲部Ａ１及び折曲部Ｃ１を折り曲げる際に、底面部４２Ａに対して、コ字状の切欠部５１ＡＢ，５１ＡＤによって画成された舌片部５２ＡＢ，５２ＡＤが相対的に起立させられ、また、底面部４２Ｃに対して、コ字状の切欠部５１ＣＢ，５１ＣＤによって画成された舌片部５２ＣＢ，５２ＣＤが相対的に起立させられる。これにより、舌片部５２ＡＢ，５２ＡＤ及び舌片部５２ＣＢ，５２ＣＤは、側面部４３Ａ，４３Ｃの面方向に沿って、梱包材４０の底面４２から下方に延びることになる。この結果、図４に示すように、梱包材４０の底面４２の両端側には、脚高さがａの脚部として舌片部５２ＡＢ，５２ＡＤ，５２ＣＢ，５２ＣＤが出現する（なお、図４では、舌片部５２ＣＢ，５２ＣＤは隠れていて図示されていない）。
【００２０】
図６は、従来の、梱包材が内部に配置された包装箱体の断面図である。
図６において、梱包材４０の脚部としての舌片部５２ＡＢ（５２ＡＤ）は、梱包材４０の底面４２の一端側から包装箱体３０の底側外フラップ部３４Ａのフラップ内面に向けて、包装箱体３０の側壁部３２Ａの内壁面に沿って設けられる。同様に、梱包材４０の脚部としての舌片部５２ＣＢ（５２ＣＤ）は、梱包材４０の底面４２の他端側から包装箱体３０の底側外フラップ部３４Ｃのフラップ内面に向けて、包装箱体３０の側壁部３２Ｃの内壁面に沿って設けられる。
【００２１】
【特許文献１】
特開２０００−１６８８４４号公報
【００２２】
【発明が解決しようとする課題】
梱包材４０は、図６に示すように、包装箱体３０内に、脚部としての舌片部５２ＡＢ（５２ＡＤ），５２ＣＢ（５２ＣＤ）が、側壁部３２Ａ，側壁部３２Ｃの内壁面に沿って当接しながら配置される。そのため、包装箱体３０内で、脚部としての舌片部５２ＡＢ（５２ＡＤ），５２ＣＢ（５２ＣＤ）は、梱包材４０の載置部４６に載置した物品の重量を支持しながら、梱包材４０の底面４２を、包装箱体３０の底面３４を構成する底側外フラップ部３４Ａ，３４Ｃ及び底側内フラップ部３４Ｂ，３４Ｄ（図６では、図示省略）に対して、離間させて位置させることができる。
【００２３】
これにより、舌片部５２ＡＢ（５２ＡＤ）と舌片部５２ＣＢ（５２ＣＤ）とが梱包材４０の底面４２両側から離れて起立し、舌片部５２ＡＢ（５２ＡＤ）と舌片部５２ＣＢ（５２ＣＤ）との間の、梱包材４０の底面４２下方には、緩衝用の空間Ｓを生じさせていた。
【００２４】
しかしながら、この結果、包装箱体３０の底側外フラップ部３４Ａ，３４Ｃ、及び底側内フラップ部３４Ｂ，３４Ｄがこの空間Ｓの内方又は外方に向けて曲がり易くなり、これに伴い、包装箱体３０の側壁部３２Ａ，３２Ｃの底側外フラップ部３４Ａ，３４Ｃが連設されている側の部分、及び端壁部３２Ｂ，３２Ｄの底側内フラップ部３４Ｂ，３４Ｄが連設されている側の部分も変形し易くなり、結果として梱包材４０の各舌片部５２ＡＢ（５２ＡＤ），５２ＣＢ（５２ＣＤ）も折れ易いものとなっていた。
本発明は、上述した問題点に鑑みてなされたものであって、梱包材の底面下方に緩衝用の空間を確保するとともに、脚部が折れ難い構造の包装箱体を提供することを目的とする。
【００２５】
【課題を解決するための手段】
上記目的を達成するために、本発明の包装箱体は、梱包材が内設される包装箱体であって、該包装箱体底面を形成するために重合される各一対の底側外フラップ部及び底側内フラップ部と、該一対の底側外フラップ部それぞれに設けられた起立片と、前記一対の底側内フラップ部それぞれに形成され、前記底側外フラップ部に設けられた前記起立片が嵌合する切欠き部とを備えていること特徴とする。
【００２６】
本発明の包装箱体によれば、外部から衝撃を受けて包装箱体が変形しようとしても、起立片が切欠き部に嵌合していることによって、一対の底側外フラップ部のフラップ先端同士が離間しないように規制保持されているので、そのフラップ先端が開いて包装箱体自体が変形し難いため、梱包材の脚部が折れ難い。
【００２７】
また、本発明の包装箱体は、起立した脚部を有する梱包材が内設される包装箱体であって、該包装箱体の内壁に沿って配置される前記梱包材の脚部の起立方向側に位置し、該包装箱体底面を形成するために重合される各一対の底側外フラップ部及び底側内フラップ部と、該一対の底側外フラップ部それぞれの先端側に連設された起立片と、前記一対の底側内フラップ部それぞれに先端側から基端側に向けて延設され、前記底側外フラップ部に対して折曲された前記起立片が嵌合する切欠き部とを備えていることを特徴とする。
これによれば、包装箱体内の梱包材の底面下方に緩衝用の空間を確保するとともに、梱包材の脚部が折れ難い箱体構造とすることができる。
【００２８】
【発明の実施の形態】
以下、添付図面を参照しながら、本発明の包装箱体１０の好適な実施の形態について詳細に説明する。
図１は、本発明の一実施の形態からなる包装箱体の展開図である。
包装箱体１０は、１枚の段ボール等からなる板材１１から構成される。板材１１は、各一対の長方形形状の側壁部１２Ａ，１２Ｃ及び端壁部１２Ｂ，１２Ｄが交互に連設された箱体周壁構成部１２を備えている。また、板材１１の箱体周壁構成部１２の壁部１２Ａ，１２Ｂ，１２Ｃ，１２Ｄそれぞれには、これら壁部１２Ａ，１２Ｂ，１２Ｃ，１２Ｄの連設方向に沿って延びる一対の縁部の中の一方側の縁部に、蓋側外フラップ部１３Ａ，蓋側内フラップ部１３Ｂ，蓋側外フラップ部１３Ｃ，蓋側内フラップ部１３Ｄが連設されている。また、これら壁部１２Ａ，１２Ｂ，１２Ｃ，１２Ｄそれぞれには、これら壁部１２Ａ，１２Ｂ，１２Ｃ，１２Ｄの連設方向に沿って延びる一対の縁部の中の他方側の縁部に、底側外フラップ部１４Ａ，底側内フラップ部１４Ｂ，底側外フラップ部１４Ｃ，底側内フラップ部１４Ｄが同様に連設されている。さらに、側壁部１２Ａの端壁部１２Ｂが連設された側と反対側の縁部には、合わせ壁部１２Ｅが連設されている。
【００２９】
そして、本実施の形態の包装箱体１０の板材１１の特徴とするところは、底側外フラップ部１４Ａ及び底側外フラップ部１４Ｃには、壁部１２Ａ及び壁部１２Ｃに連設された基端側の縁部に対し、それぞれ反対側の先端側の縁部には、起立片を構成する幅広の波形形状からなる舌片部２１Ａ及び舌片部２１Ｃが連設されている。
さらに、底側内フラップ部１４Ｂ及び底側外フラップ部１４Ｄには、その幅方向の略中央位置に、その先端側縁部から基端側縁部に向かって延びる切欠部２２Ｂ及び切欠部２２Ｄが形成されている。
【００３０】
ここで、本実施の形態の場合、底側外フラップ部１４Ａと舌片部２１Ａとの合計長さ、底側外フラップ部１４Ｃと舌片部２１Ｃとの合計長さ、切欠部２２Ｂが形成された底側内フラップ部１４Ｂの長さ、及び切欠部２２Ｄが形成された底側内フラップ部１４Ｄの長さは、ほぼ等しく形成されており、板材１１の外形取りの際に、材料取りの無駄が最小限に抑えられるようになっている。
また、舌片部２１Ａ，２１Ｃの基端から先端までの長さは、図５に示した梱包部材４０の脚部を構成する舌片部５２ＡＢ，５２ＡＤ，５２ＣＢ，５２ＣＤそれぞれの基端から先端までの長さ（脚高さ）ａ以下に形成されている。
【００３１】
また、舌片部２１Ａ，２１Ｃの基端部側の幅は、底側外フラップ部１４Ａの幅又は底側外フラップ部１４Ｃの幅から、舌片部２２Ａ，２２Ｃそれぞれの基端から先端までの長さの合計値を差し引いた長さよりも長く、また、底側外フラップ部１４Ａの幅又は底側外フラップ部１４Ｃの幅の中、舌片部２１Ａ，２１Ｃが連設されていない両端側部分それぞれの幅は、底側内フラップ部１４Ｂ，１４Ｄそれぞれの基端から先端までの長さから、切欠部２２Ｂ又は切欠部２２Ｄの長さを差し引いた長さ以上になっている。
【００３２】
そして、包装箱体１０は、上記した構成からなる板材１１の隣り合う、合わせ壁部１２Ｅと側壁部１２Ａ、側壁部１２Ａと端壁部１２Ｂ、端壁部１２Ｂと側壁部１２Ｃ、側壁部１２Ｃと端壁部１２Ｄそれぞれの、相互に共通する縁部（連設縁部）１２ｅａ，１２ａｂ，１２ｂｃ，１２ｃｄに沿って、隣り合う壁部同士を、図１の紙面表側から裏側に眺めて、略直角に山折りして構成される。その際、合わせ壁部１２Ｅの外壁面は、端壁部１２Ｄの内壁面と重ね合わされ、この重合部分はステップル等によって接合され、合わせ壁部１２Ｅは端壁部１２Ｄに一体的に連結される。
【００３３】
また、包装箱体１０は、底側内フラップ部１４Ｂ，１４Ｄ及び底側外フラップ部１４Ａ，１４Ｃが、箱体周壁構成部１２とのそれぞれ共通する縁部（連設部）１４ｂ，１４ｄ，１４ａ，１４ｃに沿って、底側内フラップ部１４Ｂ，１４Ｄ、続いて底側外フラップ部１４Ａ，１４Ｃの順で山折りされる。これにより、底側内フラップ部１４Ｂ，１４Ｄと底側外フラップ部１４Ａ，１４Ｃとは重ね合わされ、包装箱体１０の底部（底面）１４が構成される。
さらに、その際には、舌片部２１Ａ，２１Ｃが、底側外フラップ部１４Ａ，１４Ｃとのそれぞれ共通する縁部（連設縁部）２１ａ，２１ｃに沿って、図１の紙面表側から裏側に眺めて、予め山折りされている。
【００３４】
そのため、この底側外フラップ部１４Ａ，１４Ｃを折り曲げる際には、舌片部２１Ａ，２１Ｃ同士が、図１の紙面表側に表れている面同士を当接させて重なり合いながら一体となって、先に山折りされている底側内フラップ部１４Ｂ，１４Ｄそれぞれに形成された切欠部２２Ｂ，２２Ｄに嵌入される。
【００３５】
そして、底側外フラップ部１４Ａ，１４Ｃをほぼ直角に折り曲げた際には、図２に示されるように、舌片部２１Ａ，２１Ｃは、一体となってその幅方向の両端側から基端側部分を切欠部２２Ｂ，２２Ｄが形成された底側内フラップ部１４Ｂ，１４Ｄによって支持され、梱包材４０の底面４２側に向けて緩衝空間Ｓ内を起立することになる。
そして、包装箱体１０は、この状態で、折曲された底側外フラップ部１４Ａ，１４Ｃ同士が、例えばステップル等によって封緘され、一体的に連結されることによって、包装箱体１０の底部開口が封止される構成になっている。
【００３６】
図２は、本実施の形態による梱包材が内部に配置された包装箱体の断面図である。
これにより、本実施の形態の包装箱体１０によれば、落下等により包装箱体１０の底面１４に衝撃が加わっても、底側外フラップ部１４Ａ，１４Ｃの舌片部２１Ａ，２１Ｃ同士が、切欠部２２Ｂ，２２Ｄが形成された底側内フラップ部１４Ｂ，１４Ｄによってその基端側を一体的に支持されているので、包装箱体１０の底側外フラップ部１４Ａ，１４Ｃ、及び底側内フラップ部１４Ｂ，１４Ｄが緩衝空間Ｓの内方又は外方に向けて曲がり難くなる。これにより、一対の底側外フラップ部のフラップ先端同士が離間して開くのを防ぐことができ、包装箱体自体も変形し難くなる。この結果、包装箱体１０の側壁部１２Ａ，１２Ｃの底側外フラップ部１４Ａ，１４Ｃが連設されている側の部分、及び端壁部１２Ｂ，１２Ｄの底側内フラップ部１４Ｂ，１４Ｄが連設されている側の部分も変形し難くなり、結果として梱包材４０の各舌片部５２ＡＢ（５２ＡＤ），５２ＣＢ（５２ＣＤ）からなる脚部の折れを防ぐことができる。
【００３７】
さらに、仮に梱包材４０の各舌片部５２ＡＢ（５２ＡＤ），５２ＣＢ（５２ＣＤ）からなる脚部に折れが発生するような場合であっても、緩衝空間Ｓ中に起立した舌片部２１Ａ，２１Ｃが梱包材４０の底面４２に当接し、梱包材４０を支持するので、従来品に比べ衝撃に対する改善がはかれる。
加えて、この梱包材４０を支持する際も、舌片部２１Ａ，２１Ｃはそれぞれの先端側が当接状態から離間状態に拡幅可能に構成されているので、この拡幅作用によって、梱包材４０に対するさらなる衝撃の緩衝がはかれる。
【００３８】
なお、本発明は上記実施の形態に限定されるものではない。
例えば、別の実施の形態として、底側外フラップ部１４Ａ及び底側外フラップ部１４Ｃに設けた起立片を構成する舌片部２１Ａ及び２１Ｃそれぞれを、さらに複数の舌片部に分割形成したり、底側内フラップ部１４Ｂ，１４Ｄそれぞれに形成された切欠部２２Ｂ，２２Ｄそれぞれを、切欠孔で形成することも可能である。
【００３９】
【発明の効果】
以上のように、本発明の包装箱体によれば、包装箱体の落下等により、包装箱体の底面に衝撃が加わっても、包装箱体に内設された梱包材の脚部に折れが発生し難く、仮に脚部に折れが発生した場合でも、箱体の起立片が梱包材を受ける構造となっているため、従来品に比べ衝撃に対する改善がはかれる。
【図面の簡単な説明】
【図１】本発明の一実施の形態からなる包装箱体の展開図である。
【図２】本実施の形態による梱包材が内部に配置された包装箱体の断面図である。
【図３】従来の、物品を収容するための包装箱体の展開図である。
【図４】従来の、包装箱体に対する梱包材の組み付けの説明図である。
【図５】梱包材の一例としての、図４に示した梱包材の展開図である。
【図６】従来の、梱包材が内部に配置された包装箱体の断面図である。
【符号の説明】
１０  包装箱体
１１  板材
１２  箱体周壁構成部
１２Ａ，１２Ｃ  側壁部
１２Ｂ，１２Ｄ  端壁部
１２Ｅ  合わせ壁部
１３Ａ，１３Ｃ  蓋側外フラップ部
１３Ｂ，１３Ｄ  蓋側内フラップ部
１４  底部（底面）
１４Ａ，１４Ｃ  底側外フラップ部
１４Ｂ，１４Ｄ  底側内フラップ部
２１Ａ，２１Ｃ  舌片部
２２Ｂ，２２Ｄ  切欠部
４０  梱包材
４１  板材
４２Ａ，４２Ｃ  底面部
４３Ａ，４３Ｃ  側面部
４４Ａ，４４Ｃ  上面部
４５Ａ，４５Ｃ  物品支持部
４６  載置部
５１ＡＢ，５１ＡＤ，５１ＣＢ，５１ＣＤ  切欠部
５２ＡＢ，５２ＡＤ，５２ＣＢ，５２ＣＤ  舌片部
【図１】
2004196408.tif 000003
【図２】
2004196408.tif 000004
【図３】
2004196408.tif 000005
【図４】
2004196408.tif 000006
【図５】
2004196408.tif 000007
【図６】
2004196408.tif 000008